(57)【要約】本発明に係る家電機器用ドアロック装置は、ドアに取り付けられてドアを閉じるラッチと； ラッチ開口部、及び前記ラッチ挿入により弾性的に支持されるラッチスライダーを含むカバーと； 前記ラッチスライダーの動作を規制する施錠部と； 前記施錠部を上下に移動させるスライダーと； 制御信号に応じてプッシュカムを押動して前記スライダーが左右に移動するように回転カムを回転できるようになっているソレノイドと； 前記施錠部、前記ソレノイド、及び電動信号が入力される接点部のそれぞれを含むハウジングと； 弾性的に支持されるトーションスプリングの動作で前記突出した施錠部を強制的に離脱させて前記ラッチの異常離脱時に可動板を固定板から分離させる施錠離脱部と、からなる。本発明のドアロック装置によれば、前記ソレノイドで動作する前記プッシュカムが前記回転部の偏心部に前記施錠部の垂直移動を行わせるため、前記ラッチスライダーは前記施錠部によって保持または保持解除されることになる。これにより、前記ドアロック装置の構造を簡略化できるので、前記ドアロック装置の製造がより容易かつ安価になるという効果がもたらされる。さらに、動作信頼性の高いドアロック装置を提供することも可能になる。その上さらに、前記ラッチの異常離脱時に家電機器の動作を停止させるドアロック装置を提供することも可能になる。【選択図】図３
2010523856.tif 000002
【特許請求の範囲】
【請求項１】
家電機器用ドアロック装置であって、ＰＴＣ受入部（５５０）、接点部（５５０）、ソレノイド（６００）、前記ソレノイド（６００）で動作するカムハウジング（７００）、及び前記カムハウジング（７００）で動作する施錠部（８００）を有するハウジング（２００）と； 前記ハウジング（２００）と組み合わされ、かつ、ラッチ（１００）がそれを介して挿入されるとともに、施錠部（８００）がそれを介して垂直に内外移動する施錠開口部（３０１）がその上に設けられるラッチ開口部（３００）を含むカバー（３００）と； 前記ラッチ（１００）の挿入によって押動されるとともに前記カバー（３００）の上面に設けられたラッチスライダーバネ（４１０）によって弾性的に支持されるラッチスライダー（４００）と、からなることを特徴とし、前記ソレノイド（６００）は、ソレノイドケース（６３０）と電線がその上に巻装されるボビン（６２０）の中心に配置されるソレノイドプランジャ（６１０）とを含み、かつ、前記ソレノイドプランジャ（６１０）の一端は、プッシュカム（７１０）と、前記プッシュカム（７１０）の往往復音動によって回転する回転カム（７２０）と、がその中に配置されている前記カムハウジング（７００）内に受け入れられることを特徴とし、さらに、前記回転カム（７２０）のシャフト軸に対して偏心形成される偏心部（７２１）が前記回転カ（７２０）の一端に設けられ、かつ、スライダ（７５０）が前記偏心部（７２１）の外面と係合状態になるように設けられることを特徴とする家電機器用ドアロック装置。
【請求項２】
３つの斜角部７２２が前記回転カム（７２０）の外周に沿って１２０°の角度分布で前記回転カム（７２０）の外面に配設されることを特徴とし、さらに、前記ソレノイドプランジャ（６１０）は前記ソレノイド（６００）の制御信号に応答して前記カムハウジング（７００）内に配置された前記プッシュカム（７１０）を押動するため、前記プッシュカム（７１０）が前記回転カム（７２０）を押動すると同時にそれを１２０°回転させることを特徴とする請求項１記載の家電機器用ドアロック装置。
【請求項３】
請求項１記載の家電機器用ドアロック装置であって、ヒンジ接合を介して前記カバー（３００）と組み合わされるとともに、前記ラッチ（１００）の挿入によって前記ヒンジ接合の周りを回転する施錠離脱部（９００）と、前記ラッチ（１００）が挿入される方向とは逆の方向に前記ヒンジ離脱部（９００）を弾性的に支持するトーションスプリングと、をさらに具備することを特徴とし、前記施錠離脱部（９００）は、前記ラッチ（１００）の異常離脱時に前記トーションスプリングの動作で前記施錠部（８００）を強制的に離脱させる突起（９１０）を前記施錠部（８００）の上部領域に備えることを特徴とする家電機器用ドアロック装置。
【請求項４】
前記施錠離脱部（９００）はラッチスライダー固定部（９４０）を備え、前記ラッチスライダー（４００）は前記ラッチスライダー固定部（９４０）と係合する固定凹部（４４０）を備えることを特徴とする請求項３記載の家電機器用ドアロック装置。
【請求項５】
請求項１記載の家電機器用ドアロック装置であって、そのヒンジ接合孔（９３１）が前記カバー（３００）よりも上方に突出する形状をなすヒンジ接合突起（９３２，９３３）と連通するようにヒンジ接合を介して前記カバー（３００）と組み合わされる施錠離脱部（９０１）をさらに具備し、前記施錠離脱部（９０１）はその下部に、そのそれぞれが所定の角度を持つように前記ラッチスライダー（４００）に形成される前リブ（９６０）と後リブ（９６１）に対応するリブ係合部（９２１）を備えることを特徴とし、前記施錠部（８００）のヘッド面に衝突する突（９１１）をさらに具備し、前記施錠離脱部（９０１）はトーションスプリングによって弾性的に支持されることを特徴とする家電機器用ドアロック装置。
【請求項６】
前記リブ係合部（９２１）は回転可能なホイール構成要素をさらに具備することを特徴とする請求項５記載の家電機器用ドアロック装置。
【発明の詳細な説明】
【技術分野】
【０００１】
本発明は、家電機器のドアを開閉するためのドアロック装置に関し、より具体的には、プッシュカムが、電気制御信号の入力で動作して回転カムを所定の方向に回転させるソレノイドによって移動され、それによって、ドアラッチの異常離脱時にスライダーを左右方向に移動させ、その水平移動によりラッチスライダーと施錠部との動作を規制するとともに可動板を固定板から分離させ、家電機器の動作を直ちに停止させることを特徴とするドアロック装置に関する。
【背景技術】
【０００２】
洗濯機、食器洗浄機、乾燥機、キッチンレンジ、電子レンジなどの家電機器は、特定の状況でのみそのドアを開けるドアロック装置を備えている。つまり、家電機器の安全性は、その使用中には閉鎖状態を保つ必要のある家電機器ドアが、特定の状況でのみ開けられる構成によって達成される。
【０００３】
多くのドアロック装置がすでに公知され、その１つは「家電機器ドアの閉鎖解除装置」と題する米国特許第６，３３４，６３７Ｂ１号で開示されており、該特許では、挿入されたラッチの滑動が、ソレノイドの駆動に応じて２つの連続歯車を回転させることによって阻害され、それによって、ラッチ動作の規制を達成している。つまり、上記装置におけるラッチ規制機構は、前記歯車の歯に係合されているその施錠部を移動させるように前記ソレノイドの往復運動を前記歯車に伝えることによって実現される。
【先行技術文献】
【特許文献】
【０００４】
【特許文献１】米国特許第６，３３４，６３７Ｂ１号
【発明の概要】
【発明が解決しようとする課題】
【０００５】
しかしながら、上記のドアロック装置では、前記ドアロック装置を前記ソレノイドで動作させるように歯車の歯を他の２つの歯車の歯に係合させるので、前記ドアロック装置の全体積がそれらの歯車のために増大し、当該施錠部は前記歯車の回転に関連する誤動作を頻繁に起こすため、その装置全体の動作信頼性の低下を招く。
【課題を解決するための手段】
【０００６】
本発明の目的は上記問題点に対応できるドアロック装置を提供することにあり、特に、ソレノイドで動作するプッシュカムが回転部の偏心部に施錠部の垂直移動を行わせて、ラッチスライダーを前記施錠部によって保持させるため、その構造を簡略化でき、その製造をより容易かつ安価に行うことができ、さらに、その動作信頼性を向上できるようになっていることを特徴とする家電機器用ドアロック装置を提供することにある。
【０００７】
本発明の別の目的は、前記ラッチの異常離脱が生じ次第に家電機器の動作を停止させる家電機器用ドアロック装置を提供することにある。
【０００８】
本発明に係る家電機器用ドアロック装置は、ドアに取り付けられてドアを閉じるラッチと；ラッチ開口部、及び前記ラッチ挿入により弾性的に支持されるラッチスライダーを含むカバーと；前記ラッチスライダーの動作を規制する施錠部と；前記施錠部を上下に移動させるスライダーと；制御信号に応じてプッシュカムを押動して前記スライダーが左右に移動するように回転カムを回転できるようになっているソレノイドと；前記施錠部、前記ソレノイド、及び電動信号が入力される接点部のそれぞれを含むハウジングと；前記ラッチの異常離脱時に、弾性的に支持されるトーションスプリングの動作で前記突出した施錠部を強制的に離脱させ、それによって可動板を固定板から分離させる施錠離脱部と、からなる。
【発明の効果】
【０００９】
本発明の家電機器用ドアロック装置によれば、前記ソレノイドで動作する前記プッシュカムが前記回転部の偏心部に前記施錠部の垂直移動を行わせるため、前記ラッチスライダーは前記施錠部によって保持または保持解除されることになる。これにより、前記ドアロック装置の構造を簡略化できるので、前記ドアロック装置の製造がより容易かつ安価になるという効果がもたらされる。さらに、動作信頼性の高いドアロック装置を提供することも可能になる。その上さらに、前記ラッチの異常離脱が生じ次第に家電機器の動作を停止させるドアロック装置を提供することも可能になる。
【図面の簡単な説明】
【００１０】
【図１】図１は本発明に係るドアロック装置を示す斜視図である。
【図２】図２は本発明に係るドアロック装置の分解斜視図である。
【図３】図３は本発明に係るドアロック装置の分解斜視図である。
【図４】図４は本発明に係るプッシュカムと回転カムを示す斜視図である。
【図５】図５は本発明に係るソレノイドとカムハウジングを示す断面図である。
【図６】図６は本発明に係るドアロック装置を示す平面図である。
【図７】図７は、ラッチ挿入前の図６のＡ−Ａ’断面図を示す。
【図８】図８は、前記ラッチ挿入後の図６のＡ−Ａ’断面図を示す。
【図９】図９は、係止作動時の図６のＡ−Ａ’断面図を示す。
【図１０】図１０は、図８の斜視図を示す。
【図１１】図１１は、図９の斜視図を示す。
【図１２】図１２は本発明の別の実施形態に係る施錠離脱部を示す斜視図である。
【図１３】図１３は、図１２のラッチ挿入時の前記施錠離脱部を示す動作斜視図である。
【図１４】図１４は、図１２のラッチの強制離脱時の前記施錠離脱部を示す動作斜視図である。
【発明を実施するための形態】
【００１１】
本発明の一実施形態を添付図面を参照して詳細に説明する。
【００１２】
図１は本発明に従った家電機器用ドアロック装置を示す斜視図である。
【００１３】
外部構成に関しては、前記ドアロック装置は、ＰＴＣ（正温度係数）を受け入れ、かつ、接点部５００を切り替えるＰＴＣ受入部５００を含むハウジング２００と；前記ハウジングと組み合わされ、かつ、ラッチがそれを介して挿入されるラッチ開口部３１０を含むカバー３００と；前記カバーの上部と組み合わされて前記挿入されたラッチによって押動され、かつ、前記ラッチスライダーを弾性的に支持するラッチスライダーバネ４１０を含むラッチスライド部４００と；前記ラッチの異常離脱時に弾性的に支持されるトーションスプリングの動作で前記突出した施錠部８００を強制的に離脱することによって可動板と固定板を分離させる施錠離脱部９００と、からなる。
【００１４】
以下、前記ドアロック装置の内部構成を詳細に説明する。
【００１５】
図２と図３は本発明のドアロック装置の分解斜視図である。
【００１６】
本発明の家電機器用ドアロック装置は、ＰＴＣ受入部５５０、接点部５００、ソレノイド６００、前記ソレノイドによって移動されるカムハウジング７００、及び前記カムハウジング７００によって移動される施錠部、のそれぞれをその中に備えるハウジング２００と； 前記ハウジング２００と組み合わされ、かつ、ラッチ１００がそれを介して挿入される前記ラッチ開口部３１０と前記施錠部８００がそれを介して垂直に内外移動する施錠開口部３０１とを含むカバー３００と； 前記挿入されたラッチ１００によって押動されるとともに前記カバー３００の上面に設けられたラッチスライダーバネ４１０によって弾性的に支持されるラッチスライダー４００と、からなる。さらに、前記ドアロック装置には、ヒンジ接合を介して前記カバーと組み合わされるとともに前記ラッチ１００の挿入によって前記ヒンジ接合の周りを回転する施錠離脱部９００と；前記ラッチ１００が挿入される方向とは逆の方向に前記施錠離脱部９００を弾性的に支持するトーションスプリングと；前記ラッチの異常離脱時に前記トーションスプリングの動作で前記施錠部８００を強制的に離脱させる前記施錠部の上部領域における突起９１０と、が設けられる。
【００１７】
前記施錠離脱部９００を弾性的に支持する前記トーションスプリングの構成は、当業者であれば容易に設計し得るため、図示しない。
【００１８】
前記ＰＴＣ受入部５５０には、ソレノイド接点（ａ），（ｂ）が配設されるとともに、ＰＴＣ５５１が前記ソレノイド接点（ａ），（ｂ）相互間に配置されている。
【００１９】
前記接点部５００にはバイメタル接点（ｃ）、前記ソレノイドの他の接点（ｄ）、接点（ｅ）、及び固定板接点（ｆ）のそれぞれが配設されている。
【００２０】
前記バイメタル接点（ｃ）の一端にはバイメタル５７０と可動板５１０とのそれぞれが配設されており、ＰＴＣ５６０が前記可動板５１０と前記バイメタル５７０との間に配置されている。
【００２１】
前記ＰＴＣ５５１，５６０は、それぞれ、所定温度以下では通電し、所定温度を超えるとその抵抗値が大幅に増大するために通電を遮断する半導体であることから、電流が大幅に増加すると短絡するスイッチの役割を果たす。
【００２２】
前記ソレノイド接点（ａ），（ｂ）で接続されるとともに前記接点（ｅ）によって作動される前記ソレノイド６００は、ソレノイドケース６３０と、電線が巻装されるボビン６２０の中心に配置されるソレノイドプランジャ６１０と、からなる。
【００２３】
前記ソレノイドプランジャ６１０の一端は、プッシュカム７１０と、前記プッシュカムの往復運動に応じて回転する回転カム７２０と、がその中にそれぞれ配置されているカムハウジング７００内に受け入れられる。
【００２４】
前記回転カム７２０の一端には、偏心部７２１が前記回転カム７２０のシャフト軸に対して偏心状態で形成されるとともに、回転カムスプリング７２０が前記プッシュカムと前記回転カムとを弾性的に支持しするように設けられている。スライダー７５０が前記偏心部７２１の外接触面を係合するように設けられている。
【００２５】
スライダーバネ７５１が随時にスライダー７５０を前記回転カム７２０の偏心部７２１に接触させるように設けられ、さらに、前記スライダー７５０は前記施錠部８００に対して斜角をなして配設される。
【００２６】
前記施錠部８００には可動板インサート８１０が設けられ、前記可動板の施錠離脱部５１１はその中に挿入配置される。
【００２７】
前記カバー３００は、前記ハウジング２００の上部に配置されるとともに前記ハウジングと組み合わされて上記の構成要素をそれぞれの位置に固定し、その中では、前記施錠部８００がそれを介して前記ハウジング２００内に設けられる前記施錠開口部３０１はその長手方向の移動に応じて内外移動する。前記カバー３００の上部には前記ラッチスライダー４００が配置される。
【００２８】
前記ラッチスライダー４００は、前記ラッチ１００がそれを介して挿入されるラッチ開口部３１０に連通するラッチインサート開口部４２０と；前記ラッチ１００の挿入によって押動されて前記施錠開口部３０１を開き、それによって、前記施錠部８００が突出して前記ラッチスライダー４００の動作を規制する施錠部ホルダー４３０と；前記施錠部８００の転入と前記ラッチ１００の転出に応じて前記移動したラッチスライダー４００をその初期位置に戻す前記ラッチスライダーバネ４１０と、からなる。
【００２９】
また、ヒンジ接合を介して前記カバー３００と組み合わされる前記施錠離脱部９００も設けられ、前記施錠離脱部９００は前記ヒンジ接合の挿入によって前記ラッチ１００の周りを回転する。前記施錠離脱部９００は、前記ラッチ１００の挿入に対してトーションスプリングによって弾性的に支持されるとともに前記施錠部８００の上部領域に設けられて前記ラッチの異常離脱時に前記トーションスプリングによって前記施錠部８００を強制的に離脱させる前記突起９１０を含む。
【００３０】
ラッチスライダー固定部９４０が前記施錠離脱部９００に設けられ、固定凹部４４０が、前記ラッチ１００の通常離脱に対して前記ラッチスライダー４００を前記施錠離脱部９００によって固定するように前記ラッチスライダー固定部９４０と係合する前記ラッチスライダー４００に設けられている。
【００３１】
これから、前述のプッシュカムと回転カムとを詳細に説明するが、これらは前記従来技術における歯車の構成要素を置換するものである。
【００３２】
図４は前記プッシュカムと前記回転カムを示す斜視図である。
【００３３】
中空状の前記プッシュカム７１０は突起７１２と歯部７１１とを含み、前記回転カム７２０は斜角部７２２と前記斜角部に対して偏心形成される偏心部７２１とを含む。
【００３４】
さらに、前記回転カム７２０は、前記ハウジング２００の内面に設けられる回転カムスプリング７３０によって弾性的に押動されるので、前記プッシュカム７１０と係合できるようになっている。
【００３５】
前記回転カム７２０上の前記斜角部７２２は、前記回転カム７２０の外周に沿って１２０°の角度分布で配設される故、その数は３つである。
【００３６】
従って、前記ソレノイドプランジャ６１０は、前記ソレノイド６００の制御信号に応答して前記カムハウジング７００内の前記プッシュカム７１０を押動するので、前記プッシュカム７１０が前記回転カム７２０を押動すると同時にそれを１２０°回転させることができるようになっている。
【００３７】
当業者であれば、前記プッシュカム７１０の押動によって生じる前記回転カム７２０の回転方向を前記実施形態に従って適切に変更し得るであろう。
【００３８】
以下、上記の構成を断面図をもって説明する。
【００３９】
図５は本発明に係るソレノイドとカムハウジング７００とを示す断面図である。
【００４０】
前記ソレノイド６００は、前記ソレノイドケース６３０と、電線がその上に巻装されるとともに前記ソレノイドプランジャ６１０がその中に配置される前記ボビン６２０と、からなる。
【００４１】
電動信号が前記ソレノイド６００に入力されると、前記ソレノイドプランジャ６１０は前記カムハウジング７００内に配置された前記プッシュカム７１０を押動する。次いで、前記プッシュカム７１０は、その歯部７１１と前記突起７１２と前記回転カム７２０の斜角部７２２とを用いて前記回転カム７２０を回転させながら、それを押動する。
【００４２】
これから、上記の構成の動作を説明する。
【００４３】
図６は本発明の家電機器用ドアロック装置を示す平面図であり、図６のＡ−Ａ’断面図である図７、図８及び図９は、前記ラッチの挿入前の断面図、前記ラッチ挿入時の断面図、及び係止作動時の断面図をそれぞれ示す。
【００４４】
さらに、図１０と図１１は、図８と図９の斜視図をそれぞれ示す。
【００４５】
前記施錠離脱部９００は図７、図８及び図９には図示していないが、当業者であれば、図１０と図１１に関連してその構成の動作を容易に理解し得るであろう。
【００４６】
図７では、前記偏心部７２１の頂点は前記スライダー７５０と係合状態にある。加えて、前記スライダー７５０は前記施錠部８００を保持するが、前記カバー３００上に配設された前記ラッチスライダー４００は前記ラッチスライダーバネ４１０によって弾性的に支持される。
【００４７】
前記ラッチ１００は、前記カバー３００における前記ラッチ開口部３１０を貫通して、ドアの閉動作によって前記ラッチスライダー４００における前記ラッチインサート開口部４２０に挿入される（図８と図１０を参照）。前記ラッチ１００が挿入されるにつれて、前記ラッチ１００のホルダーは前記ラッチスライダー４００においてラッチサポート４２１と係合状態になり、その結果、図のように前記ラッチスライダー４００を左方向に押動する。同時に、前記ラッチ１００挿入の結果として、前記施錠離脱部９００はその前記ラッチ１００との係合により回転し、前記ラッチスライダー固定部９４０は前記ラッチスライダー４００における前記固定凹部４４０から抜け出るので、前記ラッチスライダー４００は押動され、前記施錠離脱部９００の突起９２０を前記施錠部スライダー４００の上方に変位できるようになっている。
【００４８】
前記ラッチスライダー４００が左方向に押動されると、前記施錠開口部３０１は暴露され、前記カバー３００に載置されて前記カバー３００を貫通し、前記施錠部８００はそれを通して突出する。
【００４９】
前記ラッチ１００が挿入されるかまたは前記ドアが閉けられている状態では、前記制御信号の前記ソレノイド６００への入力に応答して、前記ソレノイドプランジャ６１０は前記プッシュカム７１０を押動して前記プッシュカム７１０と係合状態にある前記回転カム７２０を押動し、回転させる。
【００５０】
前記回転カム７２０の回転の結果として、前記偏心部７２１は１２０°だけ回転し、次いで、前記偏心部７２１と係合状態にある前記スライダー７５０は前記スライダーバネ７５１によって前記偏心部７２１の周面に沿って図の左方向に押動されるので、前記施錠部８００が前記可動板５１０の施錠離脱部５１１のみと接触できるようになっている。
【００５１】
上記の状態で家電機器の押しボタンを押すことによって電動信号が前記バイメタル５７０に入力されると、前記バイメタル５７０は前記可動板５１０を上方向に移動させ、それによって、前記施錠部８００は、上方向に移動して前記カバー３００よりも上方に突出する（図９と図１１を参照）。
【００５２】
前記施錠部８００が前記カバー３００のよりも上方に突出する結果として、前記ラッチスライダー４００は固定されるため、前記ラッチ１００が前記ラッチ開口部３１０から離脱できなくなる。
【００５３】
上記の状態で制御信号（電動信号）が前記ソレノイド６００に入力されると、前記回転カム７２０は１２０°だけ回転するが、前記ラッチ１００はその係止位置に保持される。
【００５４】
上記の状態で前記第２制御信号が前記ソレノイド６００に入力されると、前記回転カム７２０はその初期位置に戻り、その偏心部７２１で前記スライダー７５０を押動するので、前記スライダー７５０が前記施錠部８００を下方に押動することができるようになるため、前記ラッチスライダー４００は自由に移動できる状態になる。
【００５５】
これから、前記施錠離脱部９００を詳細に説明する。
【００５６】
前記ドアが強制開放されることは稀ではあるが、この稀な場合を考慮することも必要である。
【００５７】
前記ラッチ１００は、その摩耗または前記ラッチを保持する保持手段の解除のために強制離脱するばかりでなく、前記ドアを強制的に開く外力によっても離脱する可能性もある。
【００５８】
換言すると、前記ドアの異常開放は家電機器の使用中に頻繁に発生して大きな危険を生じ得る。
【００５９】
従って、電気機器を使用中に前記ドアが異常開放する際に電気機器の動作を停止できるように、前記可動板５１０を前記固定板５２０から強制的に分離させることが必要である。
【００６０】
上記の構成の一実施形態を図１０と図１１を参照して説明する。
【００６１】
上記で説明したように、前記ラッチ１００の挿入によって回転した前記施錠離脱部９００は、ヒンジ接合を介して前記ラッチスライダー４００上で前記カバー３００と組み合わされるとともに、前記ラッチ１００の挿入方向とは逆方向に前記トーションスプリングによって弾性的に支持される。
【００６２】
図に示すように、前記カバー３００におけるヒンジ孔９３０を介して前記カバー３００と接続されるとともに前記ラッチ１００の挿入方向とは逆方向に前記トーションスプリング（図示せず）によって弾性的に支持される前記施錠離脱部９００は、前記施錠部８００と、前記ラッチ１００の挿入によって回転するラッチ係合部９２０と、を離脱させるために突出して形成される前記突起９１０からなり、前記突起９１０の前記施錠開口部９２０からの変位を生じる。
【００６３】
上記の構成の動作を説明すると、前記ラッチ１００が挿入されている状態で前記ラッチ１００が強制的に離脱される場合、前記ラッチスライダー４００は前記施錠部８００によって固定される。この状態では、前記施錠部８００はその上方に突出した位置に保持され、前記可動板５１０は前記固定板５２０と接触し、さらに、家電機器は動作状態にある。従って、前記可動板５１０を前記固定板５２０から強制的に分離して電気機器の動作を停止させる必要がある。
【００６４】
図に示すように、前記ラッチ１００が異常離脱する場合、前記施錠離脱部９００はその初期位置に戻り、その突起９１０は前記施錠部８００に衝突し、それによって、前記施錠部８００を前記カバー３００に離脱させる。次いで、前記施錠部８００は、前記カバー３００に離脱するにつれて前記可動板５１０を前記固定板５２０から分離させる。
【００６５】
従って、家電機器は停止する。
【００６６】
この時点では、前記ラッチスライダー４００は、前記施錠離脱部９００の突起９１０によって保持され得るが、再び前記ラッチ１００が挿入されると前記突起９１０（要確認）によって再び保持される。
【００６７】
前記ラッチ１００が通常動作によって離脱される場合、前記ラッチスライダー４００は動作して先ずその初期位置に戻るので、前記施錠離脱部９００の突起９１０が前記ラッチスライダー４００の上面と係合状態になる。
【００６８】
図１２、図１３、及び図１４はそれぞれ、前記施錠離脱部の別の実施形態を示す斜視図、前記ラッチ挿入時の図１２の施錠離脱部の動作を例示する斜視図、及び前記ラッチ強制離脱時の図１２の施錠離脱部の動作を例示する斜視図である。
【００６９】
図に示すように、前記施錠離脱部９０１は、そのヒンジ接合孔９３１が、前記カバー３００よりも上方に突出するような形状をなすヒンジ接合突起９３２，９３３と連通する方式のヒンジ接合を介して、前記カバー３００と組み合わされる。さらに、前記施錠離脱部９０１はその下部に、所定の角度を持つように前記ラッチスライダー４００上にそれぞれ形成される前リブ９６０と後リブ９６１とに対応するリブ係合部９２１と、前記施錠部８００のヘッド面に衝突する突起９１１と、を備える。さらに、前記施錠離脱部９０１はトーションスプリングによって弾性的に支持されるが、該トーションスプリングは当業者であればその構造と設計を容易に理解し得るため、図示しない。
【００７０】
これから、上記の構成の動作を説明する。
【００７１】
前述のように、前記前リブ９６０と前記後リブ９６１とは、前記ラッチスライダー４００と、所定の角度を持つ角面と、にそれぞれ固定、取り付けられる。
【００７２】
前記施錠離脱部９０１のリブ係合部９２１は前記角面上をそのそれぞれの角度に沿って滑動し、その結果、前記施錠離脱部９０１は前記ヒンジ接合の周りを回転する。つまり、前記ラッチ１００は、挿入されるにつれて前記ラッチスライダー４００を押動するので、前記施錠離脱部９０１のリブ係合部９２１が前記前リブ９６０の角面上をその角度に沿って滑動できるようになり、その結果、前記施錠離脱部９０１は回転する（図１３を参照）。
【００７３】
上記の状態で、家電機器が動作されると前記施錠部８００は突出する。通常制御信号が入力される場合、前記施錠部８００は、前記カバーに離脱することによってその初期位置に戻り、電気機器の動作は停止し、さらに、前記ラッチスライダー４００は前記ラッチスライダーバネ４１０によって押動されるので、前記施錠離脱部９０１のリブ係合部９２１が前記後リブ９６１の角面上をその角度に沿って滑動し、その結果、前記施錠離脱部９０１が前記ヒンジ接合の周りを回転できるようになる。
【００７４】
さらに、通常制御信号の入力で前記ラッチ１００が挿入されると、前記施錠開口部３０１（図３を参照）は前記施錠部ホルダー４３０（図３を参照）から距離Ｄだけ間隔を置くようになる。
【００７５】
異常制御信号の入力で前記ラッチ１００が強制的に離脱される場合、前記ラッチスライダー４００は前記ラッチスライダーバネ４１０によって押動され、前記距離Ｄだけ変位する。よって、前記前リブ９６０と係合状態にある前記リブ係合部９２１は、前記トーションスプリング（図示せず）によって降下され、前記突起９１１は前記施錠部８００のヘッド面に衝突するので、前記可動板５１０（図３を参照）が前記固定板５２０（図３を参照）から分離され、従って、電気機器の動作を停止できるようになっている。
【００７６】
前記施錠離脱部９０１のリブ係合部９２１は、別の形状をなすことができ、好ましくは、回転できるホイール構成要素をさらに含む。
【００７７】
さらに、前記リブ係合部９２１が回転可能なホイール構成要素を含む場合、前記前リブ９６０と前記後リブ９６１との形状は前記リブ係合部９２１の形状に応じて変更されるが、かかる変更は当然のことながら本発明の範囲内に抱合される。
【００７８】
さらに、前記回転カムにおける偏心部は、多偏心形またはその他の形状に形成することもでき、図に示した回転カムの偏心部や、一方向のみに偏心形成される上記の偏心部に限定されるものではない。
【００７９】
従って、前記回転カムの偏心部はさまざまな形状をなすことができるため、本発明の範囲は上記の実施形態に限定されるものでない。
【符号の説明】
【００８０】
１００…ラッチ、２００…ハウジング、３００…カバー、３１０…ラッチ開口部、３０１…施錠開口部、４００…ラッチスライダー、４１０…ラッチスライダーバネ、４２０…ラッチインサート開口部、４２１…ラッチサポート、４３０…ラッチホルダー、４４０…固定凹部、５００…接点部、５１０…可動板、５２０…固定板、５１１…施錠離脱部、５５１，５６０…ＰＴＣ、６００…ソレノイド、６１０…ソレノイドプランジャ、６２０…ボビン、６３０…ソレノイドケース、７００…カムハウジング、７１０…プッシュカム、７２０…回転カム、７３０…回転カムスプリング、７５０…スライダー、７５１…スライダーバネ、８００…施錠部、８１０…可動板インサート、９００，９０１…施錠離脱部、９１０，９１１…突起、９２０…施錠部係合部、９２１…リブ係合部、９３０，９３１…ヒンジ孔、９４０…固定部。
【図１】
2010523856.tif 000003
【図２】
2010523856.tif 000004
【図３】
2010523856.tif 000005
【図４】
2010523856.tif 000006
【図５】
2010523856.tif 000007
【図６】
2010523856.tif 000008
【図７】
2010523856.tif 000009
【図８】
2010523856.tif 000010
【図９】
2010523856.tif 000011
【図１０】
2010523856.tif 000012
【図１１】
2010523856.tif 000013
【図１２】
2010523856.tif 000014
【図１３】
2010523856.tif 000015
【図１４】
2010523856.tif 000016
【国際調査報告】
2010523856.tif 000017
2010523856.tif 000018